(57)【要約】      （修正有）【課題】二軸同軸式単軸ケーシングオーガ機で原地盤を削孔し、先行杭を間隔を存して先行掘削で造り、この先行掘削による柱状体相互に重なるように間にソイルセメントの柱状体である後行杭を後行掘削で造り、ソイルセメントの柱状壁体とするソイルセメント連続壁の施工法において、より深い掘削長に対応できる施工法を提供する。【解決手段】先導掘削として、単軸スクリューより剛性が高い、口径（φ600〜680mm）のケーシング＋スクリューを使用した二軸同軸式アースオーガ２１にて、掘削精度が低下しやすい礫・玉石層や岩盤層の変わり目以深まで掘り進み、先行掘削として先導掘削２２の後に二段掘削ヘッドを装着した、大口径（850〜1100mm）のスクリューを使用して先導削孔で精度良く緩められた穴を広げて行き、後行掘削として多軸オーガ掘削機で先行掘削による柱状体相互に重なるように間にソイルセメントの柱状壁体である後行杭を造る。【選択図】図１
2020169455.tif 000002
【特許請求の範囲】
【請求項１】
先導掘削として、単軸スクリューよりはるかに剛性高い、口径（φ600〜680mm）のケーシング＋スクリューを使用した二軸同軸式アースオーガにて、掘削精度が低下しやすい礫・玉石層や岩盤層の変わり目以深まで掘り進み、先行掘削として先導掘削の後に二段掘削ヘッドを装着した、大口径（850〜1100mm）のスクリューを使用して先導削孔で精度良く緩められた穴を広げて行き、後行掘削として多軸オーガ掘削機で先行掘削による柱状体相互に重なるように間にソイルセメントの柱状壁体である後行杭を造ることを特徴としたソイルセメント連続壁の施工法。
【発明の詳細な説明】
【技術分野】
【０００１】
本発明は、ソイルセメント連続壁の施工法に関するものである。
【０００２】
柱列杭形式の地中連続壁を施工する方法として、従来、多軸オーガ掘削機を使用するものが知られており、多軸オーガ掘削機は、図７に示すように、油圧モータおよび減速機からなる駆動機構４は複数本の駆動軸を突出して、この駆動軸にオーガ軸５をそれぞれ複数本（図示の例では３本）並列させた状態で下方に向けて連結したもので、該オーガ軸５は先端にオーガヘッド５ａを設け、途中にスクリュー羽根５ｂや攪拌翼５ｃを設けた。
【０００３】
このオーガ軸５は、図示は省略するが、中空軸で内部にセメントミルク等の固結合材を流通させ、これをオーガヘッド５ａの吐出口より注出するように構成してある。
【０００４】
前記駆動機構４はオーガ軸５を連結した状態で、クローラ等のベースマシン１に起立するリーダーマスト２のトップシーブ３からワイヤー１０で吊支されるとともに、背面に設けた湾曲ブラケット６がリーダーマスト２に沿設したリーダー７に係合される。図中８はリーダーマスト２の下端に設けた首かせ状の振れ止めで、オーガ軸５が上下に貫通する。
【０００５】
かかる多軸オーガ掘削機を使用して掘削孔を掘削するには、駆動機構４によりオーガ軸５を回転駆動してオーガヘッド５ａで錐揉み状に掘削するが、かかる掘削時にオーガヘッド５ａよりセメントミルク等の固結合材を吐出させて、土中において原位置土と混合して１エレメントのソイルモルタル１１による壁体を造成する。
【０００６】
そして、柱列杭形式の地中連続壁を施工するには、従来、図８に示すように前記のようにして多軸オーガ掘削機で横長のソイルモルタル１１による１エレメントを形成するが、第１のエレメント９ａと第２のエレメント９ｂとの間を間隔を存して施工し、その後、これら第１のエレメント９ａと第２のエレメント９ｂとの間を同じ多軸オーガ掘削機で掘削して第３のエレメント９ｃを施工する。
【０００７】
この第３のエレメント９ｃの施工は、多軸オーガ掘削機の両端のオーガ軸５を、先行する第１のエレメント９ａと第２のエレメント９ｂのそれぞれの孔壁端部にラップ（重合）させ、この両端のオーガ軸５オーガイドとして第１のエレメント９ａと第２のエレメント９ｂの間に掘削する。
【０００８】
このように第３のエレメント９ｃを第１のエレメント９ａと第２のエレメント９ｂとの間に施工するのは、多軸オーガ掘削機の場合、第１のエレメント９ａ、第２のエレメント９ｂ、第３のエレメント９ｃと順次並べて施工するには、その軸心を一直線に揃えるのが困難であり、曲がりを生じやすいためである。曲がりを生じると地中連続壁の連続性がなくなり、止水機能も損なわれる。
【０００９】
そこで下記特許文献のように、二軸同軸式単軸ケーシングオーガ機で原地盤を削孔し、その先端よりセメントミルクを吐出して削孔混練を行いソイルセメントの柱状体である先行杭を間隔を存して先行掘削で造り、この先行掘削による柱状体相互に重なるように間にソイルセメントの柱状体である後行杭を後行掘削で造り、ソイルセメントの柱状壁体とするソイルセメント連続壁の施工法において、後行掘削での後行杭の造成は、先行掘削での先行杭のソイルセメントの柱状体の硬化を待って、この先行掘削でのソイルセメントの柱状体オーガイドとして掘削で造ることを出願人は提案した。
【特許文献１】特開２０１８−２８２１８号公報
【００１０】
先に使用するオーガ機を図４、図５に示すと、二軸同軸式単軸ケーシングオーガ機で、アースオーガ１５はクローラ等のベースマシン１に起立するリーダーマスト２のトップシーブ３からワイヤーで吊支される。図中４はアースオーガ１５の駆動機構で、オーガ軸であるスクリュー１９とその外側に套嵌するケーシング１６を同時にかつ反対方向に回転させる二軸同軸式のものである。
【００１１】
図中１７は振止装置であり、ケーシング１６は先端にケーシングヘッド１８を有し、スクリュー１９は先端にスクリューヘッド２０を有する。
【００１２】
ケーシングヘッド１８はその先端周囲に掘削刃（図示せず）を有するものであることが望ましい。
【００１３】
二軸同軸式単軸ケーシングオーガ機で原地盤を削孔し、スクリュー１９の先端よりセメントミルクを吐出して削孔混練を行いソイルセメントの柱状体を間隔を存して先行掘削で先行杭１２を造る。
【００１４】
この先行掘削による先行杭１２の柱状体の端部に端部が重なるように先行杭１２の柱状体同士の間にソイルセメントの柱状体である後行杭１３を後行掘削で造り、ソイルセメントの柱状壁体とする。
【００１５】
かかる後行掘削でのソイルセメントの柱状体である後行杭の造成は、先行掘削でのソイルセメントの柱状体の先行杭１２の硬化を待って、この先行掘削でのソイルセメントの柱状体オーガイドとして掘削で造る。
【発明の概要】
【発明が解決しようとする課題】
【００１６】
今までは、造壁径と同等の掘削径で先導削孔を行っていたので、φ1100mmでソイルセメント柱列壁を造成する場合、その重量で杭打ち機の安定度が確保出来ない事から」ストロークでは、最大でも１８ｍ程度しか出来なかった。（図６参照）
【００１７】
前記のように多軸機にてソイルセメント柱列壁を大口径・大深度で造成する際、硬質地盤や岩盤を掘削する為に、先行削孔を行うが、通常 先行削孔は単軸スクリューで行う為、ジョイント部のガタつきやロッド部の剛性が、玉石や岩盤の傾きに当たった時に受ける「横に逃げようとする力」を受けた時、その力に負ける為掘削深度が４０ｍを越える様な事案では、鉛直精度が低下し、ラップが外れる恐れがある。
【００１８】
その精度低下を克服する為、単軸スクリューよりはるかに剛性が高く、ロックピン方式のブレ無い継ぎ手を採用した、同径程度のケーシング＋スクリュー（前記二軸同軸式単軸ケーシングオーガ機）にて、精度が低下しやすい上部の第一節や、玉石層・岩盤への層代わり以深まで掘り進み、地盤を精度良く緩め、それ以深を再び従来の単軸スクリューで掘り進み、先行削孔としていた。
【００１９】
しかし、この方法では、大口径のケーシング・スクリューが非常に重たい事から、杭打ち機の安定度が低下してしまい、継ぎ作業無しで行える１ストロークの掘削深度が、最大でも１５〜１８ｍ前後となり、それ以深を掘削する場合は、当然継ぎ作業が発生し、さらに先導削孔範囲は、同径で二度堀するので、崩壊防止の為に注入する掘削液や、その為に発生する発生汚泥が増大し、手間・材料・汚泥処分費が増大する。
【００２０】
芯ズレが起きやすい、玉石層や傾いた岩盤層が１８ｍ以浅に有り対応・処理出来る場合は良いが、それより深い場合は、継ぎ作業が発生し、継ぎ作業は止めボルトの多さや重量から、継ぎ１回当たり往復で、４０分前後の時間を要し、歩掛を大きく低下させる作業となっており、その区間は先行削孔と合わせて２度掘りとなる事から、使用材料や発生汚泥も増大する結果となっていた。
【００２１】
本発明の目的は前記従来例の不都合を解消し、ソイルセメントの柱状体を間隔を存して先行掘削で造り、この先行掘削による柱状体相互に重なるように間にソイルセメントの柱状体を後行掘削で造ってソイルセメントの柱状壁体とするソイルセメント連続壁の施工法において、より深い掘削長に対応することができるソイルセメント連続壁の施工法を提供することにある。
【課題を解決するための手段】
【００２２】
本発明は前記目的を達成するため、先導掘削として、単軸スクリューよりはるかに剛性高い、口径（φ600〜680mm）のケーシング＋スクリューを使用した二軸同軸式アースオーガにて、掘削精度が低下しやすい礫・玉石層や岩盤層の変わり目以深まで掘り進み、先行掘削として先導掘削の後に二段掘削ヘッドを装着した、大口径（850〜1100mm）のスクリューを使用して先導削孔で精度良く緩められた穴を広げて行き、後行掘削として多軸オーガ掘削機で先行掘削による柱状体相互に重なるように間にソイルセメントの柱状壁体である後行杭を造ることを要旨とするものである。
【００２３】
請求項１記載の本発明によれば、先導削孔の削孔径を小さくする事により、機材の重量が軽減され、杭打ち機の安定度が向上する事から、１ストローク当たりの掘削長が、最大２６ｍ程度と約３０％以上向上し、より深い掘削長に対応する。
【００２４】
１ストロークが長くなるので、継ぎ回数も減る可能性が有り、小さくなるので、継ぎ手間も軽減され、断面積が減るので掘削対象土も少なくなり、注入材・発生汚泥も低減出来る。
【発明の効果】
【００２５】
以上述べたように本発明のソイルセメント連続壁の施工法は、ソイルセメントの柱状体を間隔を存して先行掘削で造り、この先行掘削による柱状体相互に重なるように間にソイルセメントの柱状体を後行掘削で造ってソイルセメントの柱状壁体とするソイルセメント連続壁の施工法において、より深い掘削長に対応することができるものである。
【図面の簡単な説明】
【００２６】
【図１】本発明のソイルセメント連続壁の施工法の１実施形態を示す先導掘削工程の正面図である。
【図２】本発明のソイルセメント連続壁の施工法の１実施形態を示す先行掘削工程の正面図である。
【図３】本発明のソイルセメント連続壁の施工法の１実施形態を示す後行掘削工程の正面図である。
【図４】二軸同軸式単軸ケーシングオーガ機の正面図である。
【図５】二軸同軸式単軸ケーシングオーガ機の側面図である。
【図６】従来例を示す正面図である。
【図７】多軸オーガ掘削機の側面図である。
【図８】従来の地中連続壁の施工法の説明図である。
【発明を実施するための形態】
【００２７】
以下、図面について本発明の実施の形態を詳細に説明する。図１は本発明のソイルセメント連続壁の施工法の１実施形態を示す先導掘削工程の正面図、図２は同上先行掘削工程の正面図、図３は同上後行掘削工程の正面図である。
【００２８】
本発明は従来の「先行掘削」→「後行掘削」という工程手順を、「先行掘削」をさらに「先導掘削」と「先行掘削」とに分けた。
【００２９】
図１に示すように、先導掘削２２として、単軸スクリューよりはるかに剛性高い、口径（φ600〜680mm）のケーシング＋スクリューを使用した二軸同軸式アースオーガ２１にて、掘削精度が低下しやすい礫・玉石層や岩盤層の変わり目以深まで掘り進む。
【００３０】
この場合、二軸同軸式アースオーガ２１のスクリュー先端から崩壊防止液（薄いセメントミルクまたはベントナイト）を吐出して、孔壁の崩壊防止を行う。
【００３１】
次いで、図２に示すように、先行掘削２３として先導掘削２２の後に二段掘削ヘッド２４を装着した、大口径（850〜1100mm）のスクリュー２５を使用して先導削孔２２で精度良く緩められた穴を広げて行く。
【００３２】
二段掘削ヘッド２４は大径オーガヘッド２４ｂと、小径オーガヘッド２４ａとからなり、大径オーガヘッド２４ｂの先端に、小径オーガヘッド２４ａを連結したものである。
【００３３】
小径オーガヘッド２４ａはオーガスクリューの先端に着脱する、慣用の、オーガヘッドを準備すれば良く、ロッドの外周に羽根を螺旋状に付設し、羽根先端に削孔爪を備えたものである。
【００３４】
大径オーガヘッド２４ｂは、慣用の、オーガヘッド製作に用いる羽根をロッドの外周に巻付けて溶接で固定して得る。
【００３５】
図３に示すように、後行掘削として多軸オーガ掘削機２６で先行掘削相互に重なるように間にソイルセメントの柱状壁体２７である後行杭を造る。
【００３６】
この場合も前記「先導掘削」と同じく二段掘削ヘッド２４の先端から崩壊防止液（薄いセメントミルクまたはベントナイト）を吐出して、孔壁の崩壊防止を行う。
【００３７】
多軸オーガ掘削機２６は図７に示すものと同じであり、油圧モータおよび減速機からなる駆動機構４は複数本の駆動軸を突出して、この駆動軸にオーガ軸５をそれぞれ複数本（図示の例では３本）並列させた状態で下方に向けて連結したもので、該オーガ軸５は先端にオーガヘッド５ａを設け、途中にスクリュー羽根５ｂや攪拌翼５ｃを設けた。（図７参照）
【００３８】
このオーガ軸５は、図示は省略するが、中空軸で内部にセメントミルク等の固結合材を流通させ、これをオーガヘッド５ａの吐出口より注出するように構成してある。
【００３９】
前記駆動機構４はオーガ軸５を連結した状態で、クローラ等のベースマシン１に起立するリーダーマスト２のトップシーブ３からワイヤー１０で吊支されるとともに、背面に設けた湾曲ブラケット６がリーダーマスト２に沿設したリーダー７に係合される。図中８はリーダーマスト２の下端に設けた首かせ状の振れ止めで、オーガ軸５が上下に貫通する。
【００４０】
かかる多軸オーガ掘削機を使用して掘削孔を掘削するには、駆動機構４によりオーガ軸５を回転駆動してオーガヘッド５ａで錐揉み状に掘削するが、かかる掘削時にオーガヘッド５ａよりセメントミルク等の固結合材を吐出させて、土中において原位置土と混合して１エレメントのソイルモルタルによる壁体２７を造成する。
【００４１】
図中１４はＨ形鋼による芯材である。
【符号の説明】
【００４２】
１…ベースマシン                ２…リーダーマスト
３…トップシーブ                ４…駆動機構
５…オーガ軸                    ５ａ…オーガヘッド
５ｂ…スクリュー羽根            ５ｃ…攪拌翼
６…湾曲ブラケット              ７…リーダー
８…振れ止め                    ９ａ…第１のエレメント
９ｂ…第２のエレメント          ９ｃ…第３のエレメント
１０…ワイヤー                  １１…ソイルモルタル
１２…先行杭                    １３…後行杭
１４…芯材                      １５…アースオーガ
１６…ケーシング                １７…振止装置
１８…ケーシングヘッド          １９…スクリュー
２０…スクリューヘッド          ２１…二軸同軸式アースオーガ
２２…先導掘削                  ２３…先行掘削
２４…二段掘削ヘッド            ２４ａ…小径オーガヘッド
２４ｂ…大径オーガヘッド        ２５…スクリュー
２６…多軸オーガ掘削機          ２７…ソイルセメントの柱状壁体
【図１】
2020169455.tif 000003
【図２】
2020169455.tif 000004
【図３】
2020169455.tif 000005
【図４】
2020169455.tif 000006
【図５】
2020169455.tif 000007
【図６】
2020169455.tif 000008
【図７】
2020169455.tif 000009
【図８】
2020169455.tif 000010